(57)【特許請求の範囲】
【請求項１】
バーナの火力を正逆の回転操作により増減調節する燃焼操作具と、
火力表示面部に設定配列方向に沿って並設される複数の導光体と、
前記複数の導光体に対して発光用光を供給する光供給部と、が設けられ、
前記光供給部が、前記燃焼操作具が火力増加側に操作されるほど、複数の前記導光体のうちで発光用光を供給する導光体を、前記設定配列方向の一端側から他端側に向けて増加させる形態で、前記燃焼操作具の回転操作に伴って、複数の前記導光体に対して発光用光を供給する状態を変更するように構成された加熱調理器であって、
前記光供給部が、複数の前記導光体の全てに対して発光用光を供給する光源部と、当該光源部からの発光用光が前記導光体に到達するのを遮蔽する遮蔽体とから構成され、
前記遮蔽体が、前記燃焼操作具の正逆回転操作により正逆に移動する形態で前記燃焼操作具に連係され、かつ、前記燃焼操作具が火力増加側に操作されるほど、複数の前記導光体のうちで発光用光の到達を遮蔽する導光体を、前記設定配列方向の一端側から他端側に向けて減少させるように構成され、
前記光源部は、光源と、当該光源からの発光用光を複数の前記導光体の前記設定配列方向に拡散して反射させる反射部とを備え、
前記光源部が、前記光源と前記反射部とからなる複数の光源部分を前記設定配列方向に沿って並設し、複数の前記光源部分の夫々が異なる複数個ずつの前記導光体に発光用光を供給し、
前記光源部分からの発光用光が隣接する前記光源部分に漏れ出すことを抑制する一対の漏洩抑制壁が、互いに平行となる状態かつそれらの漏洩抑制壁の間に隙間を形成する状態で隣接する前記光源部分同士の間に設けられている加熱調理器。
【請求項２】
前記燃焼操作具が、前記バーナに供給する燃料の供給量を当該燃焼操作具の回転操作に応じて操作する形態で、燃料調節弁に連係されている請求項１に記載の加熱調理器。
【請求項３】
前記燃焼操作具が、回転操作の回転軸心方向の移動により、前記バーナを点火する点火用位置、前記バーナを燃焼させる燃焼用位置及び前記バーナを消火する消火用位置に切換自在に構成され、
前記遮蔽体が、前記燃焼操作具に対して前記回転軸心方向の移動を許容し、且つ、前記燃焼操作具の正逆回転操作により正逆に移動する形態で、前記回転軸心方向の設定位置に設けられている請求項１又は２に記載の加熱調理器。 
【発明の詳細な説明】
【技術分野】
【０００１】
本発明は、バーナの火力を正逆の回転操作により増減調節する燃焼操作具と、火力表示面部に設定配列方向に沿って並設される複数の導光体と、複数の前記導光体に対して発光用光を供給する光供給部と、が設けられ、前記光供給部が、前記燃焼操作具が火力増加側に操作されるほど、複数の前記導光体のうちで発光用光を供給する導光体を、前記設定配列方向の一端側から他端側に向けて増加させる形態で、前記燃焼操作具の回転操作に伴って、複数の前記導光体に対して発光用光を供給する状態を変更するように構成された加熱調理器に関する。
【背景技術】
【０００２】
かかる加熱調理器は、燃焼操作具が火力増加側に操作されるほど、設定配列方向に沿って並設される複数の導光体のうちで発光用光を供給する導光体を、設定配列方向の一端側から他端側に向けて増加させる形態で、燃焼操作具の回転操作に伴って、複数の導光体に対して発光用光を供給する状態を変更することにより、バーナの火力の大きさを表示するようにしたものである。
【０００３】
かかる加熱調理器の従来例として、複数の導光体に対して発光用光を供給する光供給部が、複数の導光体の夫々に対応して設けられた複数のＬＥＤランプと、燃焼操作具の回転操作位置を検出するロータリーエンコーダと、ロータリーエンコーダにより検出された検出情報に基づいて、燃焼操作具が火力増加側に操作されるほど、複数の導光体の夫々に対応して設けられた複数のＬＥＤのうちで点灯するＬＥＤを、複数の導光体の設定配列方向の一端側から他端側に向けて増加させる点灯制御を行う制御部とにより構成されたものがある（特許文献１参照）。
【先行技術文献】
【特許文献】
【０００４】
【特許文献１】特開２０１３−４４５０９号公報
【発明の概要】
【発明が解決しようとする課題】
【０００５】
特許文献１の加熱調理器では、光供給部が、ロータリーエンコーダによって燃焼操作具の回転操作位置を検出しながら、制御部によって、燃焼操作具が火力増加側に操作されるほど、複数の導光体の夫々に設けられた複数のＬＥＤのうちで点灯するＬＥＤを、複数の導光体の設定配列方向の一端側から他端側に向けて増加させる点灯制御を行うように構成されているので、つまり、発光状態にする導光体を増減させるために、電気的な制御構成を用いるので、バーナの火力の大きさを表示するための構成が複雑になるという問題がある。
【０００６】
本発明は、上述の課題に鑑みてなされたものであり、その目的は、簡素な構成にてバーナの火力の大きさを表示することができる加熱調理器を提供することにある。
【課題を解決するための手段】
【０００７】
本発明に係る加熱調理器は、
バーナの火力を正逆の回転操作により増減調節する燃焼操作具と、
火力表示面部に設定配列方向に沿って並設される複数の導光体と、
前記複数の導光体に対して発光用光を供給する光供給部と、が設けられ、
前記光供給部が、前記燃焼操作具が火力増加側に操作されるほど、複数の前記導光体のうちで発光用光を供給する導光体を、前記設定配列方向の一端側から他端側に向けて増加させる形態で、前記燃焼操作具の回転操作に伴って、複数の前記導光体に対して発光用光を供給する状態を変更するように構成された加熱調理器であって、その特徴構成は、
前記光供給部が、複数の前記導光体の全てに対して発光用光を供給する光源部と、当該光源部からの発光用光が前記導光体に到達するのを遮蔽する遮蔽体とから構成され、
前記遮蔽体が、前記燃焼操作具の正逆回転操作により正逆に移動する形態で前記燃焼操作具に連係され、かつ、前記燃焼操作具が火力増加側に操作されるほど、複数の前記導光体のうちで発光用光の到達を遮蔽する導光体を、前記設定配列方向の一端側から他端側に向けて減少させるように構成され、
前記光源部は、光源と、当該光源からの発光用光を複数の前記導光体の前記設定配列方向に拡散して反射させる反射部とを備え、
前記光源部が、前記光源と前記反射部とからなる複数の光源部分を前記設定配列方向に沿って並設し、複数の前記光源部分の夫々が異なる複数個ずつの前記導光体に発光用光を供給し、
前記光源部分からの発光用光が隣接する前記光源部分に漏れ出すことを抑制する一対の漏洩抑制壁が、互いに平行となる状態かつそれらの漏洩抑制壁の間に隙間を形成する状態で隣接する前記光源部分同士の間に設けられている点にある。 
【０００８】
上記特徴構成によれば、光源部から複数の導光体の全てに対して発光用光を供給する状態で、燃焼操作具が火力増加側に操作されるほど、遮蔽体が複数の導光体のうちで発光用光の到達を遮蔽する導光体を、設定配列方向の一端側から他端側に向けて減少させて、複数の導光体のうちで発光用光が到達して発光状態となる導光体を、複数の導光体の設定配列方向において、一端側から他端側に向けて増加させることになる。
【０００９】
ちなみに、燃焼操作具が火力減少側に回転操作されるほど、遮蔽体が複数の導光体のうちで発光用光の到達を遮蔽する導光体を、設定配列方向の他端側から一端側に向けて増加させて、複数の導光体のうちで発光用光が到達して発光状態となる導光体を、複数の導光体の設定配列方向において、他端側から一端側に向けて減少させることになる。
【００１０】
このように、光源部から複数の導光体の全てに対して発光用光を供給する状態で、燃焼操作具の正逆回転操作により、燃焼操作具に連係させた遮蔽体を正逆に移動させることによって、バーナの火力の大きさを複数の導光体によって表示することができる。よって、簡素な構成にてバーナの火力の大きさを表示することができる。
【００１１】
説明を加えると、従来のように、ロータリーエンコーダによって、燃焼操作具の回転操作位置を検出しながら、制御部によって、燃焼操作具が火力増加側に操作されるほど、複数の導光体の夫々に設けられた複数のＬＥＤのうちで、点灯するＬＥＤを、複数の導光体の設定配列方向において、一端側から他端側に向けて増加させる制御を行うような構成を採用する場合に比べて、発光状態にする導光体を増減させるための電気的な制御構成が不要になるため、構成の簡素化を図ることができる。
【００１３】
上記特徴構成によれば、光源からの発光用光を複数の設定配列方向に拡散して反射させる反射部が設けられているので、光源部に設ける光源の数を少なくすることができる。
つまり、例えば、単一の光源からの発光用光を反射部により拡散して複数の導光体のすべてに供給したり、光源と反射部との組合せを複数設けて、夫々の光源からの発光用光を反射部により拡散して、複数の導光体のうちの異なる複数個ずつの導光体に供給するようにする等、光源部に設ける光源の数を少なくすることができる。
【００１５】
上記特徴構成によれば、異なる複数個ずつの導光体に、複数の光源部分の夫々が発光用光を供給するので、複数の導光体を同等の明るさにて発光させ易いものとなる。
つまり、一つの光源からの発光用光を一つの反射部にて反射させて、複数の導光体のすべてに発光用光を供給しようとすると、反射部による反射にて発光用光を供給する設定配列方向での範囲が広範囲となるため、複数の導光体に供給される発光用光の強度に大きなむらが生じ易いものとなる。
【００１６】
これに対して、本特徴構成によれば、複数の光源部分の夫々が、反射部による反射にて発光用光を供給する設定配列方向での範囲が小さな範囲となるため、複数の光源部分の夫々が、複数の導光体のうちの異なる複数個ずつの導光体に供給する発光用光の強度のむらを少なくすることができるため、複数の導光体を同等の明るさにて発光させ易いものとなる。
【００１８】
上記特徴構成によれば、光源部分からの発光用光が隣接する光源部分に漏れ出すことを漏洩抑制壁によって抑制することができるので、光源部分から漏れ出した発光用光が、隣接する光源部分に対応する導光体に到達することを抑制することができるため、導光体をくっきりした状態で発光させ易いものとなる。
【００１９】
つまり、複数の光源部分の夫々における光源からの発光用光は、導光体の光軸心方向に沿う光線となる状態に反射部にて反射されて、導光体に供給されることになり、導光体の光軸心方向に傾斜しない発光用光が供給されないことにより、導光体がくっきりした状態で発光し易いものとなる。
【００２０】
ところが、光源部分の反射部において、隣接する光源部分に向かう方向に反射した発光用光が、光源部分から漏れ出して、その漏れ出した発光用光により、隣接する光源部分に対応する導光体に到達すると、その漏れ出した発光用光は、導光体の光軸心方向に傾斜した光であるため、導光体がくっきりした状態で発光し難いものとなる。
【００２１】
本特徴構成によれば、漏洩抑制壁によって、光源部分からの発光用光が隣接する光源部分に漏れ出すことを抑制することにより、導光体の光軸心方向に傾斜した発光用光が導光体に供給されることを抑制できるため、導光体をくっきりした状態で発光させ易いものとなる。
【００２２】
本発明に係る加熱調理器の更なる特徴構成は、
前記燃焼操作具が、前記バーナに供給する燃料の供給量を当該燃焼操作具の回転操作に応じて操作する形態で、燃料調節弁に連係されている点にある。
【００２３】
上記特徴構成によれば、燃焼操作具に連係された燃料調節弁によりバーナに供給する燃料の供給量が操作されるので、燃料調節弁を調節する構成の簡素化を図ることができる。
つまり、例えば、燃焼操作具の回転操作位置を検出するロータリーエンコーダと、燃料調節弁を駆動する駆動装置と、ロータリーエンコーダにより検出された検出情報に基づいて燃料調節弁の駆動装置を制御する制御部とを備えた構成を採用して燃料調節弁を調節する場合に比べて、燃料調節弁を調節するための電気的な制御構成が不要となるため、燃料調節弁を調節する構成の簡素化を図ることができる。
【００２４】
本発明に係る加熱調理器の更なる特徴構成は、
前記燃焼操作具が、回転操作の回転軸心方向の移動により、前記バーナを点火する点火用位置、前記バーナを燃焼させる燃焼用位置及び前記バーナを消火する消火用位置に切換自在に構成され、
前記遮蔽体が、前記燃焼操作具に対して前記回転軸心方向の移動を許容し、且つ、前記燃焼操作具の正逆回転操作により正逆に移動する形態で、前記回転軸心方向の設定位置に設けられている点にある。
【００２５】
上記特徴構成によれば、燃焼操作具を、回転操作の回転軸心方向に移動して、点火用位置、燃焼用位置及び消火用位置の夫々に切り換えることにより、バーナを点火すること、バーナを燃焼させること、及び、バーナを消火することができる。
【００２６】
また、燃焼操作具を、点火用位置、燃焼用位置及び消火用位置のいずれの位置に切り換えた場合でも、遮蔽体が設定位置に維持されるので、遮蔽体により複数の導光体に供給される発光用光を適切に遮断することができる。
【００２７】
つまり、例えば、燃焼操作具を燃焼用位置から消火用位置に押し操作する場合において、遮蔽体が燃焼操作具の回転軸心方向の押し操作方向への移動に伴って設定位置と異なる位置に移動する等、遮蔽体が燃焼操作具の回転軸心方向の押し操作方向への移動に伴って設定位置と異なる位置に移動する場合には、遮蔽体により複数の導光体に供給される発光用光を適切に遮断することができない状態となる虞がある。
【００２８】
本特徴構成によれば、燃焼操作具の回転軸心方向の移動に拘わらず、光供給部から供給される発光用光を遮断するために適切な設定位置に遮蔽体を維持させることができるものであるから、遮蔽体により複数の導光体に供給される発光用光を適切に遮断することができない状態となることを防止して、導光体を良好に発光させることができる。
【図面の簡単な説明】
【００２９】
【図１】ガスコンロの斜視図
【図２】ガスコンロの斜視図
【図３】ガス燃料の流路構成を示す概略図
【図４】上側操作部分の分解斜視図
【図５】コンロバーナの操作部を示す側面図
【図６】光源部の縦断正面図
【図７】光源部の一部切欠平面図
【図８】上側カバー体の分解斜視図
【図９】導光体支持体の正面図
【図１０】コンロ用器具栓の分解斜視図
【図１１】コンロ用器具栓の縦断側面図
【図１２】消火状態の器具栓を示す縦断側面図
【図１３】点火状態の器具栓を示す縦断側面図
【図１４】燃焼状態の器具栓を示す縦断側面図
【図１５】消火用操作状態の器具栓を示す縦断側面図
【図１６】小火力位置の器具栓を示す側面図
【図１７】中火力位置の器具栓を示す側面図
【図１８】大火力位置の器具栓を示す側面図
【図１９】小火力位置の遮蔽部の位置を示す一部切欠正面図
【図２０】中火力位置の遮蔽部の位置を示す一部切欠正面図
【図２１】大火力位置の遮蔽部の位置を示す一部切欠正面図
【図２２】大火力操作状態の器具栓を示す一部切欠側面図
【図２３】大火力から消火する状態の器具栓を示す一部切欠側面図
【図２４】小火力操作状態の器具栓を示す一部切欠側面図
【図２５】小火力から消火する状態の器具栓を示す一部切欠側面図
【発明を実施するための形態】
【００３０】
以下、図面に基づいて、本発明の実施の形態を説明する。
（ガスコンロの全体構成）
図１及び図２に示すように、加熱調理器としてのガスコンロは、バーナとしてのコンロバーナ１を備えるコンロ部、及び、グリルバーナ２（図３参照）を備えるグリル部３を備えたビルトインタイプに構成されている。
【００３１】
ガスコンロ本体Ｙの上面は、ガラス製のトッププレート５にてガスコンロ上面が覆われ、ガスコンロ本体Ｙの上面の後部側には、グリル部３の燃焼排ガスを排気するためのグリル排気口４が形成されている。このトッププレート５の上部に、コンロバーナ１としての３つのコンロバーナ、つまり、大火力バーナ１Ａ、標準バーナ１Ｂ及び小火力バーナ１Ｃが設けられている。そして、大火力バーナ１Ａ、標準バーナ１Ｂ及び小火力バーナ１Ｃに対する被加熱物（鍋など）を受け止め支持するための五徳６が設けられている。
【００３２】
グリルバーナ２としては、図３に示すように、被加熱物を上方から加熱する板状の上バーナ２ａと、被加熱物を下方から加熱する管状の左右一対の下バーナ２ｂとが備えられている。つまり、図示は省略するが、グリル部３の内部には、魚等の被加熱物を載置する受け網が設けられ、受け網に載置された被加熱物を、上バーナ２ａが上方側から加熱し、左右一対の下バーナ２ｂが下方側から加熱するように構成されている。
【００３３】
図３に示すように、大火力バーナ１Ａ及び標準バーナ１Ｂの夫々には、点火プラグＰ及び着火状態を検出する熱電対等を用いて構成される着火状態検出用の着火センサＲが設けられている。なお、図示を省略するが、小火力バーナ１Ｃにも、大火力バーナ１Ａ及び標準バーナ１Ｂと同様に、点火プラグＰ及び着火状態を検出する熱電対等を用いて構成される着火状態検出用の着火センサＲが設けられている。
また、グリルバーナ２における上バーナ２ａ及び左右一対の下バーナ２ｂの夫々にも点火プラグＰ及び着火状態を検出するための熱電対等を用いて構成される着火センサＲが備えられている。
【００３４】
図１から図３に示すように、大火力バーナ１Ａ、標準バーナ１Ｂ及び小火力バーナ１Ｃに対して、鍋等の被加熱物の存否を検出し且つその温度を検出する被加熱物検出センサＳが装備されている。又、図示を省略するが、グリル部３には、グリル庫内の温度を検出する温度センサが設けられている。
【００３５】
又、図１及び図２に示すように、ガスコンロ前側面の左側箇所に、左方側操作部ＮＬが設けられ、また、ガスコンロ前側面の右側箇所に、右方側操作部ＮＲが設けられている。
左方側操作部ＮＬが、大火力バーナ１Ａ及び小火力バーナ１Ｃの点火及び消火や火力調節を行う上側部分Ｎａと、大火力バーナ１Ａ及び小火力バーナ１Ｃに対する自動運転情報等、各種の設定等を指令する下側部分Ｎｂとを備えるように構成されている。
同様に、右方側操作部ＮＲが、標準バーナ１Ｂ及びグリルバーナ２の点火及び消火や火力調節を行う上側部分Ｎａと、標準バーナ１Ｂ及びグリルバーナ２に対する自動運転各種の設定等を指令する下側部分Ｎｂとを備えるように構成されている。
【００３６】
左方側操作部ＮＬの上側部分Ｎａには、大火力バーナ１Ａ及び小火力バーナ１Ｃの火力を正逆の回転操作により増減調節する大火力バーナ用操作具Ｈ１及び小火力バーナ用操作具Ｈ３が設けられている。
また、右方側操作部ＮＲの上側部分Ｎａには、標準バーナ１Ｂの火力を正逆の回転操作により増減調節する標準バーナ用操作具Ｈ２と、グリルバーナ２の火力を正逆の回転操作により増減調節するグリル用操作具Ｋとが設けられている。
【００３７】
ちなみに、大火力バーナ用操作具Ｈ１、標準バーナ用操作具Ｈ２、及び、小火力バーナ用操作具Ｈ３は、同様に構成されて、同様に操作されるものであるので、以下においては、それらを総称して燃焼操作具Ｈと記載する。
【００３８】
また、左方側操作部ＮＬの下側部分Ｎｂや右方側操作部ＮＲの下側部分Ｎｂは、ガスコンロ本体Ｙに設けられた枢支軸（図示せず）に揺動自在に支持されて、ガスコンロ本体Ｙに対して出退自在に構成され、そして、上面部には、自動運転情報を指令する設定操作部６０が設けられている。
【００３９】
（燃焼操作具の詳細）
図５に示すように、燃焼操作具Ｈが、コンロ前後方向に押し移動させることにより、消火用位置Ａ、点火用位置Ｂ及び燃焼用位置Ｃに切換自在に構成され、かつ、押し移動操作方向（コンロ前後方向）に沿う操作軸心Ｘの回りに回転操作自在に構成されている。
つまり、燃焼操作具Ｈが、操作軸心Ｘの軸心方向（回転操作の回転軸心方向）の移動により、コンロバーナ１を点火する点火用位置Ｂ、コンロバーナ１を燃焼させる燃焼用位置Ｃ及びコンロバーナ１を消火する消火用位置Ａに切換自在に構成されている。
【００４０】
具体的には、燃焼操作具Ｈが、消火用位置Ａからの押し移動操作により点火用位置Ｂに移動し、当該点火用位置Ｂでの押し移動操作の解除により消火用位置Ａを越えて点火用位置Ｂから離れる側に移動した燃焼用位置Ｃに付勢力にて移動し、当該燃焼用位置Ｃからの押し移動操作により消火用位置Ａに復帰自在に構成されている。
【００４１】
ちなみに、燃焼操作具Ｈを燃焼用位置Ｃから消火用位置Ａに操作する際には、燃焼操作具Ｈを燃焼用位置Ｃから消火用位置Ａを越えた消火操作位置Ｄに押し移動させ、当該消火操作位置Ｄにて押し移動操作を解除することにより、燃焼操作具Ｈが消火用位置Ａに付勢力により移動するように構成されている。
尚、図５は、燃焼操作具Ｈが消火用位置Ａに位置する状態を示す。
【００４２】
消火用位置Ａにおいては、燃焼操作具Ｈの端面が、ガスコンロの前面部の表面Ｆから３ｍｍ程度だけコンロ前方側に突出し、点火用位置Ｂにおいては、燃焼操作具Ｈの端面が、ガスコンロの前面部の表面Ｆから４ｍｍ程度だけコンロ内方側（コンロ後方側）に引退し、燃焼用位置Ｃにおいては、燃焼操作具Ｈの端面が、ガスコンロの前面部の表面Ｆから１７ｍｍ程度だけコンロ前方側に突出し、かつ、消火操作位置Ｄにおいては、燃焼操作具Ｈの端面が、ガスコンロの前面部の表面Ｆから２ｍｍ程度だけコンロ前方側に突出するようになっている。
【００４３】
したがって、コンロバーナ１を燃焼させない消火用位置Ａにおいては、燃焼操作具Ｈがガスコンロの前面部からコンロ前方側に大きく突出しないため、ガスコンロの前面部を美麗な状態に維持でき、しかも、使用者が燃焼操作具Ｈに接触する不都合を抑制できる。
また、コンロバーナ１を燃焼させる燃焼用位置Ｃにおいては、燃焼操作具Ｈがガスコンロの前面部からコンロ前方側に大きく突出するため、コンロバーナ１が燃焼中であることを使用者に適切に認識させることができ、また、燃焼操作具Ｈを回転操作しながら火力調節を良好に行うことができる。
【００４４】
また、燃焼操作具Ｈを回転操作するときに把持する円筒状の周壁部Ｈａが、操作軸心Ｘの回りに回転自在に構成されるのに対して、燃焼操作具Ｈを押し移動操作するときに押圧する端面部Ｈｂが、押し移動する際には非回転状態に維持されるように構成されており、その詳細は後述する。
【００４５】
ちなみに、グリル用操作具Ｋが、燃焼操作具Ｈと同様に、消火用位置Ａ、点火用位置Ｂ、燃焼用位置Ｃ、消火操作位置Ｄに押し移動操作自在で、操作軸心Ｘの回りに回転操作自在に構成され、また、グリル用操作具Ｋを回転操作するときに把持する周壁部Ｈａが、操作軸心Ｘの回りに回転自在に構成されるのに対して、燃焼操作具Ｈを押し移動操作するときに押圧する端面部Ｈｂが、押し移動する際には非回転状態に維持されるように構成されている。
【００４６】
（燃料供給構成）
図３に示すように、都市ガス等のガス燃料が供給される元ガス供給路１５に、大火力バーナ１Ａ及び標準バーナ１Ｂの夫々に対するコンロ用分岐路１６Ａ、１６Ｂ及び、グリルバーナ２に対するグリル用分岐路１７が接続され、グリル用分岐路１７が、上バーナ２ａに対する分岐路部分１７ａと左右一対の下バーナ２ｂに対する分岐路部分１７ｂとに分岐されている。
コンロ用分岐路１６Ａ、１６Ｂの夫々には、コンロ用器具栓１９が配設され、グリル用分岐路１７には、グリル用器具栓２０が配設されている。
なお、図示は省略するが、元ガス供給路１５には、小火力バーナ１Ｃに対するコンロ用分岐路が配設されている。このコンロ用分岐路にもコンロ用器具栓１９が配設されている。
【００４７】
コンロ用器具栓１９には、燃焼操作具Ｈの押し移動操作にて開閉操作されるメイン弁２３、閉状態に弾性付勢された電磁操作式の安全弁２４、燃焼操作具Ｈの回転操作により操作されるニードル式の燃料調節弁２５、及び、火力を大火力と小火力とに切換える火力調節用のコンロ側電磁弁２６が装着されている。
ちなみに、本実施形態においては、燃料調節弁２５は、コンロバーナ１の火力を調節する燃料調節部Ｖとして機能することになる。
【００４８】
そして、メイン弁２３及び安全弁２４を備える本流路２８に対して、燃料調節弁２５及びコンロ側電磁弁２６を備える主流路２９Ａと、弱火用オリフィス２７を備える分岐流路２９Ｂとが、並列状態で接続されており、コンロ側電磁弁２６の開状態では、ガス燃料が主流路２９Ａ及び分岐流路２９Ｂを通して流動し、コンロ側電磁弁２６の閉状態では、ガス燃料が分岐流路２９Ｂを通して流動するように構成されている。
【００４９】
尚、コンロ側電磁弁２６は、ガスコンロの運転を制御する制御部（図示せず）が、設定操作部６０にて設定された自動調理メニューを実行する際に、火力を大火力と小火力とに切換えるために開閉操作されるものであって、その詳細は周知であるので、本実施形態においては、制御部が実行する自動調理メニュー並びに火力調節用のコンロ側電磁弁２６の開閉操作についての説明は省略する。
【００５０】
グリル用器具栓２０は、その主要部が、コンロ用器具栓１９と同様に構成されるものであって、その主要部には、グリル用操作具Ｋの押し移動操作にて開閉操作されるメイン弁２３、及び、閉状態に弾性付勢された電磁操作式の安全弁２４を備える本流路２８が設けられる。
そして、グリル用器具栓２０には、ガス燃料の供給圧力を設定圧力に調整するガバナ３３が装備されている。
【００５１】
上バーナ２ａに対する分岐路部分１７ａ及び下バーナ２ｂ対する分岐路部分１７ｂの夫々に対して、主流路３１Ａと、弱火用オリフィス３２を備える分岐流路３１Ｂとが、並列状態で接続されており、主流路３１Ａには、上バーナ２ａ及び下バーナ２ｂの夫々の火力を大火力と小火力とに切換える火力調節用のグリル側電磁弁３０が備えられている。
そして、グリル側電磁弁３０の開状態では、ガス燃料が主流路３１Ａ及び分岐流路３１Ｂを通して流動し、グリル側電磁弁３０の閉状態では、ガス燃料が分岐流路３１Ｂを通して流動するように構成されている。
【００５２】
すなわち、上バーナ２ａ及び下バーナ２ｂの夫々に対する火力調節用のグリル側電磁弁３０を開閉操作することにより、グリルバーナ２の火力を４段階に変更調節できるように構成されている。
つまり、上バーナ２ａ及び下バーナ２ｂの夫々の火力を大火力にする大火力状態、上バーナ２ａの火力を大火力にしかつ下バーナ２ｂの火力を小火力にする強め中間火力状態、上バーナ２ａの火力を弱状態にしかつ下バーナ２ｂの火力を大火力にする弱め中間火力状態、及び、上バーナ２ａ及び下バーナ２ｂの夫々の火力を小火力にする小火力状態に切換えることができるように構成されている。
【００５３】
ちなみに、本実施形態においては、上バーナ２ａ及び下バーナ２ｂの夫々に対する火力調節用のグリル側電磁弁３０は、グリルバーナ２の火力を調節する燃料調節部Ｖとして機能することになる。
【００５４】
（コンロ用器具栓の詳細）
図４、図１０及び図１１に示すように、コンロ用器具栓１９の本体ケーシング３６が、合成樹脂製の前部側ケーシング３６Ｆと金属製の後部側ケーシング３６Ｒとを、前後に並ぶ状態で接続し、且つ、後部側ケーシング３６Ｒの上部に、金属製の上部側ケーシング３６Ｕを接続した形態に構成されている。
【００５５】
図１１に示すように、後部側ケーシング３６Ｒには、コンロ前後方向に沿う弁収納用空間が形成され、その弁収納用空間の内部に、メイン弁２３及び電磁操作式の安全弁２４が装着されており、その詳細は後述する。
図１０及び図１１に示すように、上部側ケーシング３６Ｕは、前部側ケーシング３６Ｆの上方箇所に向けて片持ち状に延出する部分を備えており、その延出する部分に、コンロバーナ１に対する燃料調節弁２５が装備され、上部側ケーシング３６Ｕの後部に、火力調節用のコンロ側電磁弁２６が装着されており、その詳細は後述する。
【００５６】
図１１に示すように、前部側ケーシング３６Ｆには、コンロ前後方向に沿うスライダ収納用空間が形成され、そのスライダ収納用空間に、燃焼操作具Ｈと一体移動するスライダ４０及び当該スライダ４０にて押圧移動操作される中継スライダ４１が、操作軸心Ｘの回りでの回転を阻止された状態で操作軸心Ｘの軸心方向に沿って移動自在に収納されており、その詳細は後述する。
【００５７】
図１１に示すように、本体ケーシング３６における後部側ケーシング３６Ｒの下部には、元ガス供給路１５が接続される導入口３８が形成され、上部側ケーシング３６Ｕの上部には、コンロバーナ１に向けてガス燃料を供給する導出口３９が形成されている。
そして、本体ケーシング３６における後部側ケーシング３６Ｒ及び上部側ケーシング３６Ｕの内部には、導入口３８と導出口３９とを連通する状態で、本流路２８、主流路２９Ａ、及び、分岐流路２９Ｂが形成されている。
【００５８】
図１１に示すように、後部側ケーシング３６Ｒには、金属製のバルブロッド４２が、燃焼操作具Ｈの押し移動操作方向（コンロ前後方向）に沿って往復移動自在に収納され、このバルブロッド４２に、メイン弁２３を構成するメイン弁用弁体２３Ａが一体移動するように装着されている。
また、メイン弁用弁体２３Ａをコンロ前面側に向けて付勢する第１スプリング４３が設けられ、メイン弁用弁体２３Ａが、第１スプリング４３の付勢力にてコンロ前面側に移動することによって、メイン弁用弁座２３Ｂに接当する閉じ位置に移動するように構成されている。
【００５９】
図１１に示すように、安全弁２４を構成する安全弁用弁体２４Ａが、第２スプリング４４にてコンロ前面側に移動して安全弁用弁座２４Ｂに接当する閉じ位置に移動するように構成されている。
また、バルブロッド４２が第１スプリング４３の付勢力に抗してコンロ内方側（コンロ後方側）に移動することにより、安全弁２４の安全弁用弁体２４Ａを開き位置に押圧操作されるように構成されている。
そして、安全弁２４の励磁部２４Ｃが、開き位置に押圧操作された安全弁用弁体２４Ａを電磁力にて開き位置に保持するように構成されている。
【００６０】
図１０に示すように、燃料調節弁２５が、操作軸心Ｘに沿う方向視にて、燃焼操作具Ｈの上方側の側脇に位置する状態で、上部側ケーシング３６Ｕに設けられている。
つまり、上部側ケーシング３６Ｕには、燃料調節弁２５の燃料調節用弁体としての弁本体２５Ａが、燃焼操作具Ｈの押し移動操作方向（コンロ前後方向）に沿って往復移動自在に収納されている。
【００６１】
図１０及び図１１に示すように、上部側ケーシング３６Ｕにおける弁本体２５Ａを収納する弁ケーシングとして機能する筒部３６Ｗの下壁部に、燃焼操作具Ｈの押し移動操作方向に沿うスリット４５が形成され、弁本体２５Ａに装着した連係ピン４６が、スリット４５を通して下方に突出する状態で設けられている。
そして、この連係ピン４６を係止移動操作することによって、燃料調節弁２５を調節操作することになるが、その詳細は後述する。
【００６２】
図１１に示すように、上部側ケーシング３６Ｕのコンロ内方側の端部には、コンロ側電磁弁２６が装着されている。このコンロ側電磁弁２６は、閉じ位置に復帰付勢された開閉弁体２６Ａを電磁弁用弁座２６Ｂに対して接当させることにより、主流路２９Ａを閉じ、開閉弁体２６Ａを電磁弁用弁座２６Ｂから離間させることにより、主流路２９Ａを開くように構成されている。
【００６３】
図１１に示すように、前部側ケーシング３６Ｆは、内部にスライダ収納用空間を備える支持体ケーシングとして構成されるものであって、内部に形成されたスライダ収納用空間のコンロ前後方向の中間部には、スライダ４０の中央部からコンロ後方側に突出する突起状の押し部４０Ａが挿通自在な環状の中間壁部３６ｍが形成され、また、中間壁部３６ｍの下方には、スライダ４０の下端部からコンロ後方側に突出する平板状の位置決め板部４０Ｂが、コンロ前後方向に移動自在に挿通されている。
スライダ４０は、位置決め板部４０Ｂが中間壁部３６ｍの下部等に接当することによって、操作軸心Ｘ回りでの回転が阻止されるように構成されている。
【００６４】
中間壁部３６ｍとスライダ４０との間には、スライダ４０をコンロ前方側に付勢する第３スプリング４７が設けられ、前部側ケーシング３６Ｆの前端部には、スライダ４０のコンロ前方側への移動範囲を受止め規制する受止部３６ｎが設けられている。
中継スライダ４１をコンロ前方側に付勢する第４スプリング４８が設けられ、この第４スプリング４８にて付勢された中継スライダ４１のコンロ前方側への移動範囲が、中間壁部３６ｍにて受止め規制されるように構成されている。
【００６５】
また、図示は省略するが、前部側ケーシング３６Ｆの左横側部には、点火用の固定接点や安全用の固定接点などを備えた接点板ブロックが取り付けられ、スライダ４０の摺動に伴って、スライダ４０に取り付けた可動接点が各固定接点に対する接触状態と非接触状態とに切り換えられるように構成されている。
この接点板ブロックの検出情報が制御部に入力されて、制御部が、接点板ブロックの検出情報に基づいて、点火プラグＰの点火作動、及び、安全弁２４の開閉作動を制御するように構成されており、その詳細は後述する。
【００６６】
（プッシュ−プッシュ機構）
図１１に示すように、前部側ケーシング３６Ｆの下面部には、Ｕ字状の係止ピン４９が、前部側ケーシング３６Ｆの後部に設けた支点形成部３６Ｐにて後端部が左右方向に揺動自在に支持されることにより、左右方向に揺動自在で、かつ、環状スプリング５０にて上方側に向けて付勢された形態で設けられている。
【００６７】
中継スライダ４１の下部には、スライダ４０の位置決め板部４０Ｂと前部側ケーシング３６Ｆの底部壁との間に位置する状態で、板状の位置決め部４１Ａが設けられ、係止ピン４９の先端部（前端部）が、中継スライダ４１の下部の板状の位置決め部４１Ａに形成した挿通孔５１を貫通する状態で設けられている。
【００６８】
そして、スライダ４０の位置決め板部４０Ｂの下面には、前部側ケーシング３６Ｆの底壁部を貫通する係止ピン４９の先端部（前端部）が係合する位置決め用の係合溝（図示せず）が形成されており、係止ピン４９と係合溝とから、燃焼操作具Ｈの押し移動操作方向（コンロ前後方向）における位置決めを行う、いわゆるプッシュ−プッシュ機構が構成されている。このプッシュ−プッシュ機構は、周知であるため詳細な説明を省略する。
【００６９】
（コンロ用器具栓による操作の詳細）
次に、燃焼操作具Ｈの操作に基づく、コンロ用器具栓１９の作動及び制御部の制御作動についてまとめて説明する。
図１２に示すように、燃焼操作具Ｈが消火用位置Ａにあるときは、スライダ４０の可動接点が点火用の固定接点及び安全用の固定接点に対する非接触状態となり、そして、メイン弁２３のメイン弁用弁体２３Ａが本流路２８を閉じ、且つ、安全弁２４も弾性的に閉弁されて、安全弁用弁体２４Ａが本流路２８を閉じるように構成されている。
【００７０】
図１２及び図１３に示すように、燃焼操作具Ｈを消火用位置Ａから点火用位置Ｂに押し移動操作すると、スライダ４０が中継スライダ４１を押し移動し、かつ、中継スライダ４１がバルブロッド４２を押し移動することにより、メイン弁２３のメイン弁用弁体２３Ａが本流路２８を開き、かつ、バルブロッド４２の先端が安全弁２４の安全弁用弁体２４Ａを押圧して開弁することになる。
【００７１】
また、図示は省略するが、燃焼操作具Ｈを点火用位置Ｂに押し移動操作すると、スライダ４０の可動接点が点火用の固定接点に接触する接触状態に切り換えられることにより、制御部が、着火センサＲにて着火が検出されるまで点火プラグＰを作動させる点火処理を実行し、加えて、着火センサＲにて着火が検出されると、安全弁２４を開き状態に保持すべく、安全弁２４に通電することになる。
ちなみに、着火センサＲにて着火が検出されると、制御部は、後述する火力表示用のＬＥＤ１４ａへの電力供給を開始する。
【００７２】
図１４に示すように、コンロバーナ１が着火したのち、燃焼操作具Ｈの押し移動操作を解除すると、燃焼操作具Ｈが燃焼用位置Ｃに付勢力にて移動し、スライダ４０が燃焼操作具Ｈと共にコンロ前方側に移動することになるが、中継スライダ４１が、係止ピン４９の係止により、バルブロッド４２を押し移動操作する状態に維持されることになり、メイン弁２３のメイン弁用弁体２３Ａが本流路２８を開く状態が維持される。
【００７３】
また、図示は省略するが、燃焼操作具Ｈが燃焼用位置Ｃに移動すると、スライダ４０の可動接点が、点火用固定接点に接触しない非接触状態に切り換えられ、かつ、安全用の固定接点に接触する接触状態に切換えられる。
制御部は、安全用の固定接点が接触状態に切換えられているので、着火センサＲにて着火が検出されているときには、安全弁２４を開き状態に操作し、そして、着火センサＲにて着火が検出されないときには、安全弁２４を閉じ状態に操作する非常停止処理を実行する。
【００７４】
図１５に示すように、燃焼操作具Ｈを燃焼用位置Ｃから消火操作位置Ｄに押し込み操作すると、係止ピン４９による中継スライダ４１の係止が解除されて、スライダ４０がコンロ前方側に移動することにより、バルブロッド４２がコンロ前方側に移動することになり、メイン弁２３のメイン弁用弁体２３Ａが本流路２８を閉じることになる。
また、図示は省略するが、燃焼操作具Ｈが消火操作位置Ｄに移動すると、スライダ４０の可動接点が点火用の固定接点及び安全用の固定接点に対する非接触状態となるので、制御部が、安全弁２４を閉じ状態に操作する消火処理を実行することになる。
また、このとき、制御部は、後述する火力表示用のＬＥＤ１４ａへの電力供給を停止する。
【００７５】
（燃焼操作具の詳細）
図１０及び図１１に示すように、燃焼操作具Ｈの周壁部Ｈａを形成する筒状の本体部５２が設けられ、その本体部５２の前端部に、燃焼操作具Ｈの端面部Ｈｂを形成する本体キャップ５３が設けられている。
本体キャップ５３には、コンロ後方側に伸びる脚状でかつ先端部には径方向外方に突出する係止突部を備える複数の脚部５３ａが設けられている。これに対して、本体部５２の内面には、環状の突部５２ａが形成されている。
【００７６】
そして、本体キャップ５３の脚部５３ａが、本体部５２の突部５２ａの内部に嵌合し、かつ、脚部５３ａの先端の係止突部が突部５２ａを係止する状態で、本体キャップ５３が本体部５２に装着されている。
つまり、本体キャップ５３が、操作軸心Ｘの回りに回転自在に本体部５２に装着されている。
【００７７】
スライダ４０の先端に嵌合装着される筒状スペーサ５４が設けられ、本体キャップ５３の脚部５３ａが、筒状スペーサ５４に外嵌し、かつ、本体キャップ５３の裏面（コンロ後方側の面）が、筒状スペーサ５４の先端に接当するように構成されている。
したがって、本体キャップ５３をコンロ後方側に押し移動すると、本体キャップ５３の裏面に接当する筒状スペーサ５４がコンロ後方側に押し移動されることにより、スライダ４０がコンロ後方側に押し移動されるように構成されている。
【００７８】
そして、本体キャップ５３の裏面（コンロ後方側の面）は、上述の如く、筒状スペーサ５４の先端に接当するものであるから、本体キャップ５３が、筒状スペーサ５４及びスライダ４０に対して、操作軸心Ｘの回りに回転できるようになっている。
つまり、本体キャップ５３は、本体部５２及び筒状スペーサ５４（スライダ４０）の夫々に対して、操作軸心Ｘの回りに回転自在に装着されている。
【００７９】
火力調節用の回転体５５の筒状本体５５Ａが、筒状スペーサ５４とスライダ４０との接続箇所に、操作軸心Ｘの回りに回転自在に、かつ、コンロ前後方向での移動を規制された状態で外嵌され、燃焼操作具Ｈの本体部５２が、回転体５５の筒状本体５５Ａに対して、一体回転自在でかつコンロ前後方向での移動を規制された状態で外嵌されている。
つまり、本実施形態においては、燃焼操作具Ｈの周壁部Ｈａが、回転体５５を備える形態に構成されている。そして、回転体５５の筒状本体５５Ａには、火力調節用の操作片５５Ｂが操作軸心Ｘの軸心方向に沿ってコンロ後方側に延出されており、後述の如く、燃料調節弁２５を操作するように構成されている。
【００８０】
ちなみに、燃焼操作具Ｈの本体部５２には、コンロ後方側に伸びかつ先端部に係合孔を備える舌片５２ｂが備えられ、本体部５２を回転体５５の筒状本体５５Ａに外嵌した状態において、筒状本体５５Ａの外周部に形成した位置決め突起５５ａに対して舌片５２ｂの係合孔を係合させることにより、本体部５２を回転体５５に対して位置決めするように構成されている。
【００８１】
以上の通り、本実施形態においては、スライダ４０と筒状スペーサ５４とから、燃焼操作具Ｈを点火用位置Ｂ、燃焼用位置Ｃ及び消火用位置Ａに切換え自在に支持するスライド式の操作具支持体Ｊが構成される。この操作具支持体Ｊは、操作軸心Ｘの回りでの回転を阻止された状態で操作軸心Ｘの軸心方向に沿って移動自在に前部側ケーシング３６Ｆに収納されることになる。
【００８２】
そして、燃焼操作具Ｈの周壁部Ｈａが、端面部Ｈｂ及び操作具支持体Ｊの夫々に対して、操作軸心Ｘの回りで回転自在に構成され、端面部Ｈｂが、操作具支持体Ｊに対して、操作軸心Ｘの回りで回転自在に構成されている。
【００８３】
（燃料調節弁の操作構成）
図１０及び図１１に示すように、前部側ケーシング３６Ｆの上部の半円筒状の外周部に、燃料調節用回転体Ｔとして、燃焼操作具Ｈの押し移動操作方向での移動を規制されかつ操作軸心Ｘの回りに回転自在な状態で火力調節用の弁操作用回転体５６が装着されている。
弁操作用回転体５６は、円弧状の円弧状部５６Ｂを主要部として備え、その円弧状部５６Ｂから、操作軸心Ｘの軸心方向に沿って燃焼操作具Ｈの存在側に延出する棒状の被操作片５６Ａを備える形態に構成されている。
【００８４】
前部側ケーシング３６Ｆの上面には、位置決め用の凹溝として、コンロ前後方向に並ぶ一対の位置決め溝Ｅが操作軸心Ｘを軸心とする形態で形成され、弁操作用回転体５６の下面には、位置決め溝Ｅに係合する一対の係合突起５６ａが形成されており、係合突起５６ａが位置決め溝Ｅに嵌合することにより、燃焼操作具Ｈの押し移動操作方向（コンロ前後方向）での弁操作用回転体５６の移動を規制するように構成されている。
【００８５】
回転体５５の操作片５５Ｂが、操作軸心Ｘの軸心方向に沿って弁操作用回転体５６の存在側に延出される形態で断面形状が逆Ｕ字状に形成され、弁操作用回転体５６の被操作片５６Ａが、操作片５５Ｂの内部に、コンロ前後方向に移動自在に、かつ、操作軸心Ｘの回りに一体回転する状態に挿入するように構成されている。
つまり、操作片５５Ｂと被操作片５６Ａとから、燃焼操作具Ｈの周壁部Ｈａと弁操作用回転体５６とを操作軸心Ｘの軸心方向での相対移動を許容する状態で一体回転自在に連結する連結部Ｚが構成されることになり、そして、操作片５５Ｂと被操作片５６Ａとが、操作軸心Ｘの軸心方向での相対移動自在にかつ操作軸心Ｘの回りに一体回転する状態で係合されている。
【００８６】
図４、図１０及び図１１に示すように、前部側ケーシング３６Ｆの上面部に、弁操作用回転体５６の燃焼操作具Ｈから離れる側となる後端部に設けた被押え部５６ｂを上方側（外方側）から受止め支持する受支持部３６ｒが設けられ、被押え部５６ｂが、弁操作用回転体５６の操作軸心Ｘ回りでの回転を許容される状態で浮き上がりを阻止するように、受支持部３６ｒにて受止められるように構成されている。
また、操作片５５Ｂが、被操作片５６Ａを上方側（外方側）から受止支持するように構成されている。
【００８７】
つまり、回転体５５の操作片５５Ｂが、弁操作用回転体５６の被操作片５６Ａの浮き上がりを阻止するように、被操作片５６Ａを上方側（外方側）から受止め、かつ、前部側ケーシング３６Ｆの上面部に設けた受支持部３６ｒが、弁操作用回転体５６の被押え部５６ｂを上方側（外方側）から受止めることによって、弁操作用回転体５６が前部側ケーシング３６Ｆの上面部から上方側（外方側）に外れることを阻止するように構成されている。
【００８８】
図４、図１０及び図１１に示すように、弁操作用回転体５６の円弧状部５６Ｂの上面側には、燃料調節弁２５の弁本体２５Ａに装着した連係ピン４６の下端部（先端部）が係合するピン操作溝Ｕが、操作軸心Ｘを中心とする螺旋溝状に形成されている。具体的には、ピン操作溝Ｕが、ガスコンロの正面視において、左側に位置する溝部分ほどコンロ前方側に位置する状態に形成されている。
【００８９】
したがって、燃焼操作具Ｈの周壁部Ｈａを回転操作することにより、周壁部Ｈａと一体回転する回転体５５の操作片５５Ｂが弁操作用回転体５６を回転操作し、弁操作用回転体５６の回転により、ピン操作溝Ｕに係合する連係ピン４６がコンロ前後方向に移動して、燃料調節弁２５の弁本体２５Ａがコンロ前後方向に移動することによって、ガス燃料の供給量を調節できるように構成されている。
【００９０】
そして、ピン操作溝Ｕが、ガスコンロの正面視において、左側に位置する溝部分ほどコンロ前方側に位置する状態に形成されているため、燃焼操作具Ｈの周壁部Ｈａを右側に回転操作するほど、燃料調節弁２５の弁本体２５Ａがコンロ前方側に移動されて、ガス燃料の供給量が多くなるように構成されている。
【００９１】
なお、本実施形態においては、燃焼操作具Ｈの周壁部Ｈａを左側に回転操作して、被操作片５６Ａが弱火側カム操作用突起５７Ｌ（図２４参照）と当接する位置が最小のガス燃料供給であり、燃焼操作具Ｈの周壁部Ｈａを右側に回転操作して、被操作片５６Ａが強火側カム操作用突起５７Ｒ（図１８及び図２２参照）と当接する位置が最大のガス燃料供給である。
【００９２】
（コンロバーナの点火用調節機構部）
コンロバーナ１の火力は、燃料調節弁２５によって小火力から大火力の間で調節されることになるが、本実施形態のコンロバーナ１は、点火させるときには、小火力と大火力との間の中火力にて点火させることが好ましいものである。
このため、図２２〜図２５に示すように、燃料調節弁２５が中火力よりも小火力側や大火力側に操作されていても、燃焼操作具Ｈを燃焼用位置Ｃから消火操作位置Ｄに向けて押し移動させたときに、燃料調節弁２５を中火に対応する状態に復帰操作するコンロバーナ側の点火用調節機構部Ｎ１が備えられており、以下、そのコンロバーナ側の点火用調節機構部Ｎ１について説明する。
【００９３】
回転体５５における操作片５５Ｂの両側には、回転体５５の筒状本体５５Ａと操作片５５Ｂとを接続する板状のカム形成部５５Ｃが設けられている。つまり、カム形成部５５Ｃが、前部側ケーシング３６Ｆの外部を通して後述するカム操作体５７の存在側に延出される状態で、且つ、操作片５５Ｂの側縁部から延出される状態で操作片５５Ｂと一体成形されている（図１０参照）。
【００９４】
そして、それら一対のカム形成部５５Ｃのうちの、ガスコンロの正面視において左側のカム形成部５５Ｃの後端部が、復帰操作用カムＷとして、操作片５５Ｂから離れるほどコンロ前方側に位置する弱火側復帰操作カムＷＬ（図２４、図２５参照）を形成し、一対のカム形成部５５Ｃのうちの、ガスコンロの正面視において右側のカム形成部５５Ｃの後端部が、復帰操作用カムＷとして、操作片５５Ｂから離れるほどコンロ前方側に位置する強火側復帰操作カムＷＲ（図２２、図２３参照）を形成するように構成されている。
【００９５】
図１０、図２２及び図２３に示すように、ガスコンロの正面視において、前部側ケーシング３６Ｆの外周部の右側箇所には、カム操作体５７として、点火用の中火力よりも大火力側に操作した状態の燃焼操作具Ｈを燃焼用位置Ｃから消火操作位置Ｄに向けて押し移動させたときに、強火側復帰操作カムＷＲと接当する強火側カム操作用突起５７Ｒが設けられている。
【００９６】
したがって、点火用の中火力よりも大火力側に操作した状態の燃焼操作具Ｈの端面部Ｈｂを押圧しながら、燃焼操作具Ｈを燃焼用位置Ｃから消火操作位置Ｄに向けて押し移動させたときに、強火側復帰操作カムＷＲが強火側カム操作用突起５７Ｒに接当することにより、回転体５５を点火用の中火力に対応する回転位置に復帰回転させるように構成されている。
【００９７】
図２４及び図２５に示すように、ガスコンロの正面視において、前部側ケーシング３６Ｆの外周部の左側箇所には、カム操作体５７として、点火用の中火力よりも小火力側に操作した状態の燃焼操作具Ｈを燃焼用位置Ｃから消火操作位置Ｄに向けて押し移動させたときに、弱火側復帰操作カムＷＬと接当する弱火側カム操作用突起５７Ｌが設けられている。
【００９８】
したがって、点火用の中火力よりも小火力側に操作した状態の燃焼操作具Ｈの端面部Ｈｂを押圧しながら、燃焼操作具Ｈを燃焼用位置Ｃから消火操作位置Ｄに向けて押し移動させたときに、弱火側復帰操作カムＷＬが弱火側カム操作用突起５７Ｌに接当することにより、回転体５５を点火用の中火力に対応する回転位置に復帰回転させるように構成されている。
【００９９】
ちなみに、弱火側復帰操作カムＷＬ及び強火側復帰操作カムＷＲの前端側部分が、操作軸心Ｘと平行な状態に形成されており、燃焼用位置Ｃから消火操作位置Ｄに向けて押し移動させた燃焼操作具Ｈが、その後、消火用位置Ａや点火用位置Ｂに位置するときに、中火力に対応する回転位相に復帰回転させた回転体５５を、その回転位相に維持できるように構成されている。
【０１００】
ところで、燃焼操作具Ｈの端面部Ｈｂを構成する本体キャップ５３が、上述の如く、燃焼操作具Ｈの周壁部Ｈａを構成する本体部５２に対して操作軸心Ｘの回りに回転自在に構成されているから、燃焼操作具Ｈの端面部Ｈｂを押圧しながら、燃焼操作具Ｈを燃焼用位置Ｃから消火操作位置Ｄに向けて押し移動させたときに、回転体５５の回転に伴って燃焼操作具Ｈの周壁部Ｈａが回転しても、燃焼操作具Ｈの端面部Ｈｂが回転しないため、燃焼操作具Ｈの端面部Ｈｂを押圧操作することを、違和感のない状態で良好に行えるものとなっている。
【０１０１】
しかも、燃焼操作具Ｈの端面部Ｈｂを構成する本体キャップ５３が、スライダ４０に接続された筒状スペーサ５４に対して、操作軸心Ｘを回転軸心として回転自在に装着されているから、本体部５２と本体キャップ５３との間の隙間に煮汁が入り込むこと等により、本体キャップ５３の本体部５２に対する回転が阻止される状態になったときには、燃焼操作具Ｈを燃焼用位置Ｃから消火操作位置Ｄに向けて押し移動させる際に、本体キャップ５３を筒状スペーサ５４に対して回転させることができるため、本体キャップ５３の本体部５２に対する回転が阻止される状態になったときにも、燃焼操作具Ｈを燃焼用位置Ｃから消火操作位置Ｄに向けて押し移動させる操作を良好に行うことができる。
【０１０２】
（火力表示構成）
次に、燃焼操作具Ｈにて増減調節される火力を表示する構成について、左方側操作部ＮＬの上側部分Ｎａを代表にして説明する。
図４及び図５に示すように、上側部分Ｎａには、操作パネル枠８が設けられ、その操作パネル枠８の前面側に、上側カバー体７が装着されている。
尚、上側カバー体７は、着脱自在に操作パネル枠８に装着されるが、本実施形態においては、上側カバー体７の装着構成についての説明は省略する。
【０１０３】
図８に示すように、上側カバー体７は、前面パネル体１２と、その前面パネル体１２の前面に貼着される板状の前面カバー１０とにより構成されている。
前面カバー１０には、燃焼操作具Ｈとしての、大火力バーナ用操作具Ｈ１及び小火力バーナ用操作具Ｈ３が貫通する左右の前面カバー貫通孔１０ａが設けられている。
【０１０４】
左右の前面カバー貫通孔１０ａの夫々の上部には、火力表示用の複数の導光体１１を挿入するための複数の貫通孔として、複数の導光体用貫通孔１０ｂが、設定配列方向に沿って形成されている。
本実施形態においては、設定配列方向は、前面カバー貫通孔１０ａの外周に沿う円弧状に沿う方向であり、この設定配列方向に沿って導光体用貫通孔１０ｂが、６つ形成されている。
【０１０５】
前面パネル体１２には、燃焼操作具Ｈとしての、大火力バーナ用操作具Ｈ１及び小火力バーナ用操作具Ｈ３が貫通する前面パネル貫通口１２ａが設けられている。
前面パネル体１２の前面パネル貫通口１２ａの上部に、複数の導光体１１を支持する導光体支持体１８が収容される収容部１２ｂが設けられている。また、収容部１２ｂには、後述する光供給部１３から複数の導光体１１に供給される発光用光を通過させるための光通過用貫通口１２ｃが設けられている。
ちなみに、複数の導光体１１を導光体支持体１８に支持する構成の詳細は後述する。
【０１０６】
そして、複数の導光体１１を導光体用貫通孔１０ｂに挿入した状態で、例えば、導光体支持体１８が前面カバー１０の後面に貼り付けられた状態で止着される。このように、止着された状態では、複数の導光体１１は、導光体用貫通孔１０ｂを貫通し、前面カバー１０の前面よりも若干前方に突出する状態となる（図５参照）。
【０１０７】
図４、図５に示すように、操作パネル枠８には、大火力バーナ用操作具Ｈ１及び小火力バーナ用操作具Ｈ３が夫々貫通する左右一対のパネル貫通口８ａが設けられている。
操作パネル枠８の後面側における左右のパネル貫通口８ａの上部に相当する箇所には、上側カバー体７に設けられた複数の導光体１１に発光用光を供給する左右一対の光供給部１３が設けられている。
【０１０８】
左右の光供給部１３は、同様に構成されるものであって、複数の導光体１１の全てに対して発光用光を供給する光源部１４と、光源部１４からの発光用光が複数の導光体１１に到達するのを遮蔽する遮蔽体Ｍ１とから構成されている。
すなわち、図６及び図７に示すように、光源部１４は、光源としてのＬＥＤ１４ａと、そのＬＥＤ１４ａからの発光用光を、上側カバー体７に設けられた複数の導光体１１の設定配列方向に拡散して反射させる反射部１４ｂとを備えている。
【０１０９】
本実施形態においては、光源部１４が、ＬＥＤ１４ａと反射部１４ｂとからなる複数の光源部分１４Ａを設定配列方向に沿って並設し、複数の光源部分１４Ａの夫々が異なる複数個ずつの導光体１１に発光用光を供給する。
【０１１０】
具体的には、図４に示すように、操作パネル枠８には、大火力バーナ用操作具Ｈ１及び小火力バーナ用操作具Ｈ３の夫々に対応する左右一対の光源部１４が設けられ、それらの光源部１４の夫々には、左右に並ぶ２つの光源部分１４Ａが設定配列方向に沿って並設されている。
そして、一つの光源部１４において、図中右側の光源部分１４Ａからは、一つの光源部１４からの発光用光が供給されることになる設定配列方向に並設された６つの導光体１１のうちの右側の３つの導光体１１に発光用光を供給し、図中左側の光源部分１４Ａからは、一つの光源部１４からの発光用光が供給されることになる設定配列方向に並設された６つの導光体１１のうちの６つの導光体１１のうちの左側の３つの導光体１１に発光用光を供給するように構成されている。
【０１１１】
図６及び図７に示すように、光源部分１４ＡのＬＥＤ１４ａは、光源部分１４Ａに設けられたＬＥＤ支持板１４ｃの下面に設けられている。ＬＥＤ支持板１４ｃは、その前方開口部１４ｄが操作パネル枠８の後面に接続された光源ケース１４ｆの上方開口部１４ｅに設けられている。
【０１１２】
光源部分１４Ａにおける反射部１４ｂは、光源ケース１４ｆの後方内面側に形成されている。そして、反射部１４ｂは、ＬＥＤ１４ａにおいて発生した発光用光を、光源ケース１４ｆの前方開口部１４ｄから複数の導光体１１の夫々に向けて、平行光線となる状態で略均一に分散させて供給できるようにするために、反射面の角度が調整され、かつ、ＬＥＤ１４ａに近接する部分には、ＬＥＤ１４ａからの発光用光を分散反射させる凹凸状の分散部１４ｇが設けられている。
【０１１３】
また、光源部分１４Ａからの発光用光が隣接する光源部分１４Ａに漏れ出すことを抑制する漏洩抑制壁１６が、隣接する光源部分１４Ａの間に設けられている。
本実施形態においては、隣接する光源部分１４Ａの間に、光源ケース１４ｆの前後方向に延びる板状の漏洩抑制壁１６が左右一対設けられている。左右一対の漏洩抑制壁１６の夫々は、その後端部を反射部１４ｂに接続する状態で、光源ケース１４ｆの円弧状下端面１４ｈに立設する状態で設けられている。
【０１１４】
左右一対の漏洩抑制壁１６は、互いに平行となる状態かつ漏洩抑制壁１６の間に隙間Ｌを形成する状態で光源ケース１４ｆに設けられている。この隙間Ｌが設けられることにより、光源部分１４Ａから漏洩抑制壁１６の外側に発光用光が漏れ出した場合でも、その漏れ出した発光用光が隙間Ｌの内部において反射することにより減衰するので、光源部分１４Ａから隣接する光源部分１４Ａに発光用光が漏れ出すことを抑制することができる。
【０１１５】
図４及び図５に示すように、操作パネル枠８には、操作パネル枠８の後面に設けられた光源部１４から供給される発光用光を、操作パネル枠８を通過させて、上側カバー体７の複数の導光体１１に供給するための光通過口８ｂが、パネル貫通口８ａの上部に連通する状態で設けられている。
この光通過口８ｂは、上側カバー体７において設定配列方向に並設された複数の導光体１１の全てに光源部１４から発光用光を供給することができるような円弧状の開口形状とされている。
【０１１６】
さらに、左右一対のパネル貫通口８ａの夫々に、光源部１４からの発光用光が導光体１１に到達するのを遮蔽する遮蔽体Ｍ１を備えた遮蔽部材Ｍが回転自在に設けられている。
左右一対のパネル貫通口８ａの夫々に対応して設けられた左右の遮蔽部材Ｍは同様に構成されるものであって、左側のパネル貫通口８ａに設けられた遮蔽部材Ｍについて説明する。
【０１１７】
遮蔽部材Ｍは、大火力バーナ用操作具Ｈ１が貫通する状態で、大火力バーナ用操作具Ｈ１の外周部に係合して、大火力バーナ用操作具Ｈ１の回転操作に伴って回転する環状の環状部Ｍ２と、その環状部Ｍ２に外周側に設けられた遮蔽体Ｍ１とにより構成されている。
【０１１８】
すなわち、図１０に示すように、大火力バーナ用操作具Ｈ１の操作片５５Ｂにおけるコンロ前端部の筒状本体５５Ａの周方向の両端部の位置には、外方に突出する一対の操作片突起部５５Ｄが設けられている。また、筒状本体５５Ａの周方向において操作片５５Ｂと対向する筒状本体５５Ａの外周位置において、外方に突出する筒状本体突起部５５Ｅが設けられている。
【０１１９】
そして、操作片突起部５５Ｄが設けられた操作片５５Ｂが、上側部分Ｎａの操作パネル枠８に設けられたパネル貫通口８ａを回転自在に設けられた遮蔽部材Ｍの環状部Ｍ２に形成された操作片用係合部Ｍａに操作軸心Ｘの軸心方向での相対移動を許容する状態で係合され（図１８参照）、同様に、筒状本体突起部５５Ｅが、遮蔽部材Ｍの環状部Ｍ２に形成された突起部用係合部Ｍｂに操作軸心Ｘの軸心方向での相対移動を許容する状態で係合されている（図１６参照）。
【０１２０】
また、遮蔽体Ｍ１は、大火力バーナ用操作具Ｈ１の回転操作の回転軸心方向の設定位置に設けられている。この設定位置は、光供給部１３からの発光用光が複数の導光体１１に到達することを遮蔽することができる回転軸心方向における位置であり、本実施形態では、光通過口８ｂの前端部の位置が設定位置とされている。
【０１２１】
つまり、遮蔽体Ｍ１が、複数の導光体１１と光供給部１３との間に設けられた操作パネル枠８に形成された光通過口８ｂの前端部において設定配列方向に向かって開閉するように設けられている。これにより、大火力バーナ用操作具Ｈ１の回転操作に応じて、遮蔽体Ｍ１によって光通過口８ｂが開閉されるように構成されている。
【０１２２】
具体的には、大火力バーナ用操作具Ｈ１による火力増加側への回転操作により、遮蔽体Ｍ１が光通過口８ｂを、設定配列方向における一端側から他端側に開く方向に移動するように構成されている。反対に、大火力バーナ用操作具Ｈ１による火力減少側への回転操作により、遮蔽体Ｍ１が光通過口８ｂを設定配列方向における一端側から他端側に閉じる方向に移動するように構成されている。
【０１２３】
このように、遮蔽体Ｍ１が、燃焼操作具Ｈの正逆回転操作により正逆に移動する形態で燃焼操作具に連係され、かつ、燃焼操作具Ｈが火力増加側に操作されるほど、複数の導光体１１のうちで発光用光の到達を遮蔽する導光体１１を、設定配列方向の一端側から他端側に向けて減少させるように構成されている。
【０１２４】
（導光体の詳細）
図８及び図９に示すように、複数の導光体１１は、複数の導光体用貫通孔１０ｂに挿入される並び状態で単一の導光体支持体１８に設けられている。具体的には、６つの導光体１１が、設定配列方向において等間隔に並ぶ状態で単一の導光体支持体１８に設けられている。
【０１２５】
そして、導光体支持体１８の隣接する導光体１１の間に相当する箇所に、導光体１１に供給された発光用光が隣接する導光体１１に到達することを減少させる光減少部としての切欠部１８ｃが形成されている。
【０１２６】
また、導光体支持体１８は、設定配列方向に延びる帯状の支持体本体部１８ａと、複数の導光体１１と一体成形されて、複数の導光体１１を各別に支持する複数の導光体支持部１８ｂとにより構成されている。そして、複数の導光体支持部１８ｂが、隣接する導光体支持部１８ｂの間に切欠部１８ｃを形成する隙間を形成する状態で、支持体本体部１８ａの設定配列方向に直交する方向の一方側の縁部に接続される形態で一体成形されている。
【０１２７】
具体的には、複数の導光体１１と導光体支持体１８とが合成樹脂により成形されており、支持体本体部１８ａが設定配列方向に延びる円弧状に形成され、支持体本体部１８ａの内周側の縁部に複数の導光体支持部１８ｂが接続される形態で、支持体本体部１８ａと複数の導光体支持部１８ｂとが一体成形されている。そして、複数の導光体支持部１８ｂの夫々の中央部に導光体１１が支持されている。
【０１２８】
つまり、支持体本体部１８ａの内周側の縁部は、複数の切欠部１８ｃを形成する複数の隙間の支持体本体部１８ａの支持体本体部１８ａ側の端部を設定配列方向に接続する曲線によって表されるものであるので、複数の導光体１１は、支持体本体部１８ａの内周側の縁部よりも、支持体本体部１８ａの内周側に位置する状態で、導光体支持部１８ｂに設けられている。
【０１２９】
また、複数の導光体１１と導光体支持体１８とを成形する合成樹脂としては、例えば、アクリル樹脂であるポリメチルメタクリレート（ＰＭＭＡ）を使用することができる。
そして、導光体支持体１８が、上述の如く、前面カバー１０の後面に止着された状態では、複数の導光体１１のコンロ前後方向における長さが、導光体支持体１８のコンロ前後方向における長さよりも長くなるように形成されている。
【０１３０】
（コンロ用器具栓による火力表示の詳細）
次に、燃焼操作具Ｈによる火力表示について説明する。
図１６〜図１８の夫々は、燃焼操作具Ｈが燃焼用位置Ｃ（図１４参照）にあるときの燃焼操作具Ｈの回転状態を示し、図１９〜図２１の夫々は、図１６〜図１８の夫々の燃焼操作具Ｈの回転状態に対応する遮蔽体Ｍ１の位置を示す。
尚、図１９〜図２１の夫々に示した上側部分Ｎａは、上側カバー体７の右側部分の前面カバー１０を切り欠いた図であり、前面パネル体１２における左右の遮蔽体Ｍ１の位置は同一の位置にあるものとする。
【０１３１】
図１６は、被操作片５６Ａが弱火側カム操作用突起５７Ｌと当接する小火力燃焼時におけるコンロ用器具栓１９の回転状態を示す。この場合、図１９の右側の遮蔽体Ｍ１によって仮想的に点線で示すように、設定配列方向に並設された６つの導光体１１のうち、他端側としての右端側から５つ目までの導光体１１に供給される発光用光が遮蔽体Ｍ１により遮蔽されるので、一端側としての左端側の１つの導光体１１にのみ発光用光が供給される状態となる。よって、図１９の左側の遮蔽体Ｍ１によって示すように、一端側としての左端側の１つの導光体１１のみが発光する状態となる。
【０１３２】
次に、図１７は、被操作片５６Ａが弱火側カム操作用突起５７Ｌと強火側カム操作用突起５７Ｒとの中間位置に位置する中間火力燃焼時におけるコンロ用器具栓１９の回転状態を示す。このコンロ用器具栓１９の回転状態では、図２０の右側の遮蔽体Ｍ１によって仮想的に点線で示すように、設定配列方向に並設された６つの導光体１１のうち、他端側としての右端側から３つ目までの導光体１１に供給される発光用光が遮蔽体Ｍ１により遮蔽され、一端側としての左端側の３つの導光体１１に発光用光が供給される状態となる。よって、図２０の左側の遮蔽体Ｍ１によって示すように、一端側としての左端側の３つの導光体１１が発光する状態となる。
【０１３３】
さらに、図１８は、被操作片５６Ａが強火側カム操作用突起５７Ｒと当接する大火力燃焼時におけるコンロ用器具栓１９の回転状態を示す。この場合、図２１の右側の遮蔽体Ｍ１によって仮想的に点線で示すように、設定配列方向に並設された６つの導光体１１に供給される発光用光が遮蔽体Ｍ１により遮蔽されず、６つのすべての導光体１１に発光用光が供給される状態となる。よって、図２１の左側の遮蔽体Ｍ１によって示すように、すべての導光体１１が発光する状態となる。
【０１３４】
このように、遮蔽体Ｍ１が、燃焼操作具Ｈの正逆回転操作により正逆に移動する形態で、回転軸心方向の設定位置に設けられ、燃焼操作具Ｈの正逆回転操作に伴って、複数の導光体１１に対して発光用光を供給する状態を上述の如く変化させるように構成されている。
【０１３５】
〔別実施形態〕
以下、別実施形態を列記する。
【０１３６】
（１）上記実施形態では、燃焼操作具Ｈが、大火力バーナ用操作具Ｈ１、標準バーナ用操作具Ｈ２及び小火力バーナ用操作具Ｈ３である場合、つまり、コンロバーナ１として、大火力バーナ１Ａ、標準バーナ１Ｂ及び小火力バーナ１Ｃを備えるガスコンロを例示したが、コンロバーナ１として、大火力バーナ１Ａ及び標準バーナ１Ｂを備えるガスコンロにも、本発明は適用できる。
【０１３８】
（２）上記実施形態では、複数の導光体１１は、複数の導光体用貫通孔１０ｂに挿入される並び状態で単一の導光体支持体１８に設けられ、複数の導光体１１が複数の導光体用貫通孔１０ｂの夫々に挿入する状態で、導光体支持体１８を前面カバー１０に固定する構成としたが、これに限らず、導光体支持体１８を設けずに、複数の導光体１１を各別に複数の導光体用貫通孔１０ｂに挿入して固定するように構成してもよい。 
【０１３９】
（３）上記実施形態では、複数の導光体１１と導光体支持体１８とが一体形成され、導光体支持体１８の隣接する導光体１１の間に相当する箇所に、導光体１１に供給された発光用光が隣接する導光体１１に到達することを減少させる光減少部が形成されたが、これに限らず、導光体支持体１８において光減少部の形成を省略することもできる。 
【０１４０】
（４）上記実施形態では、着火センサＲにて着火が検出されると、火力表示用のＬＥＤ１４ａへの電力供給を開始し、安全弁２４を閉じ状態に操作する消火処理を行うときに、火力表示用のＬＥＤ１４ａへの電力供給を停止する場合を例示したが、例えば、ガスコンロに運転スイッチが装備される場合には、運転スイッチが入り操作されると、火力表示用のＬＥＤ１４ａへの電力供給を開始し、運転スイッチが切り操作されると、火力表示用のＬＥＤ１４ａへの電力供給を停止する等、火力表示用のＬＥＤ１４ａを点灯作動させるための電力供給形態の具体例は種々変更できる。 
【０１４１】
（５）上記実施形態では、ガス調理器としてビルトイン式のガスコンロを例示したが、本発明は、コンロ台に載置されるテーブル式のガスコンロ等、種々のガス調理器に適用できるものである。
【０１４２】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１４３】
１０    前面カバー（火力表示面部）
１１    導光体
１３    光供給部
１４    光源部
１４Ａ  光源部分
１４ａ  ＬＥＤ（光源）
１４ｂ  反射部
１６    漏洩抑制壁
２５    燃料調節弁
Ｂ      点火用位置
Ｃ      燃焼用位置
Ｄ      消火用位置
Ｈ      燃焼操作具
Ｍ１    遮蔽体
【図１】
0006602107.tif 000002
【図２】
0006602107.tif 000003
【図３】
0006602107.tif 000004
【図４】
0006602107.tif 000005
【図５】
0006602107.tif 000006
【図６】
0006602107.tif 000007
【図７】
0006602107.tif 000008
【図８】
0006602107.tif 000009
【図９】
0006602107.tif 000010
【図１０】
0006602107.tif 000011
【図１１】
0006602107.tif 000012
【図１２】
0006602107.tif 000013
【図１３】
0006602107.tif 000014
【図１４】
0006602107.tif 000015
【図１５】
0006602107.tif 000016
【図１６】
0006602107.tif 000017
【図１７】
0006602107.tif 000018
【図１８】
0006602107.tif 000019
【図１９】
0006602107.tif 000020
【図２０】
0006602107.tif 000021
【図２１】
0006602107.tif 000022
【図２２】
0006602107.tif 000023
【図２３】
0006602107.tif 000024
【図２４】
0006602107.tif 000025
【図２５】
0006602107.tif 000026